(57)【要約】【課題】昇降式移動テーブルにおいて、キャスターをロック状態とするための操作部をテーブル板に設けて操作を行い易くすると共に、全てのキャスターを一括して操作可能で、しかも操作力を軽くすることができるキャスターの操作機構を提供することを課題とする。【解決手段】本発明では、ロック機構付きキャスター５を設けた脚部４と、脚部から立設した伸縮操作可能な支柱部３と、支柱部に支持した細長いテーブル板２とを有する昇降式テーブルにおいて、テーブル板の下部に水平又は略水平面内において回動可能な操作レバー６を設けた操作部７を構成すると共に、脚部にはキャスターのロック機構を作動する作動レバーを設け、前記操作部における力の作用点側と、前記作動レバーの力点側間に、インナーワイヤーとアウターワイヤーから成る操作ワイヤーを連結した操作機構を提案している。【選択図】図１
2011234973.tif 000002
【特許請求の範囲】
【請求項１】
ロック機構付きキャスターを設けた脚部と、脚部から立設した伸縮操作可能な支柱部と、支柱部に支持した細長いテーブル板とを有する昇降式テーブルにおいて、テーブル板の下部に水平又は略水平面内において回動可能な操作レバーを設けた操作部を構成すると共に、脚部にはキャスターのロック機構の作動ピンを作動する作動レバーを設け、前記操作レバーを操作することにより動作する位置Ａ、ならびに、前記作動レバーの支点Ｏに対して前記作動ピンとは反対側に配置された作動レバー上の位置Ｂとを、インナーワイヤーの両端により連結すると共に、前記操作レバーならびに前記作動レバーの動作に依存して動作することの無い位置Ｃにアウターワイヤーを固定して成ることを特徴とする昇降式移動テーブルにおけるロック機構付きキャスターの操作機構。
【請求項２】
操作部は、支持フレームに回動可能に固定し、その回動軸の横側にリンク接続部を設けた操作レバーと、アウターワイヤー固定部に対して進退可能となるように支持フレームに移動可能に支持したインナーワイヤー固定部材と、前記リンク接続部とインナーワイヤー固定部材間に連結したＵ字形凹部を有するリンクとを要素とし、前記操作レバーの回動軸が、リンクの連結部位を結ぶ直線よりも内側において前記Ｕ字形凹部内に位置するように設計されていることを特徴とする請求項１に記載の昇降式移動テーブルにおけるロック機構付きキャスターの操作機構。
【請求項３】
脚部には、テーブル板の長手方向と直交する方向に離れた一対のキャスターの中間位置にインナーワイヤーの連結側を配置し、前記一対のキャスターの夫々の作動レバーの位置Ｂをインナーワイヤーの連結側に位置させて、共通のインナーワイヤーにより連動操作可能に構成したことを特徴とする請求項１又は２に記載の昇降式移動テーブルにおけるロック機構付きキャスターの操作機構。
【発明の詳細な説明】
【技術分野】
【０００１】
本発明はベッドサイドテーブルやオーバーベッドテーブル等の昇降式移動テーブルにおいて、移動を行うためのキャスターをロック状態としたりロック解除状態とするための操作機構に関するものである。
【背景技術】
【０００２】
ベッドの幅方向に移動して所定位置にもたらして使用するベッドサイドテーブルや、ベッドの長手方向に移動して所定位置にもたらして使用するオーバーベッドテーブル等の昇降式移動テーブルでは、使用時には、キャスターを動作させないようにするための操作機構を備えている。
【０００３】
例えば特許文献１には、ベッドサイドテーブルにおいて、キャスターを設けた脚部に上下動可能な接地部材と、接地部材を上下作動する操作手段と、操作手段により接地部材を床面に向かって押し下げ操作をして接地部材を接地させると共に、キャスターを床面から浮かした状態で保持する保持手段を設けたロック機構が記載されている。
【０００４】
このような操作機構では、操作部位が脚部側に位置しているので、操作がし難く、また脚部の全てのキャスターに対して操作するためには、例えば片側ずつ２回の操作が必要となる。
【０００５】
一方、昇降式移動テーブルではないが、特許文献２には、ベッドの近傍において使用する床頭台において、床面に配置された４個のキャスターを、インナーワイヤーとアウターワイヤーから成る操作用ワイヤーで一括して操作する構成とし、その操作レバーを床頭台の側板の上端部に配置した操作機構が記載されている。
【０００６】
このような操作機構では、操作レバーが床頭台の上部に設けられているため操作はし易く、また全てのキャスターを一操作で同時にロック状態とすることができるが、操作レバーは側板の上端部に配置するため、大きなハンドルとすることはできず、テコ比を大きくして操作力を軽くすることが困難である。
【先行技術文献】
【特許文献】
【０００７】
【特許文献１】特許第３４６３８０５号公報
【特許文献２】特開２０１０−８８４９０号公報
【発明の概要】
【発明が解決しようとする課題】
【０００８】
本発明では、上述した従来の技術に鑑みて創案されたもので、昇降式移動テーブルにおいて、キャスターをロック状態とするための操作部をテーブル板に設けて操作を行い易くすると共に、全てのキャスターを一括して操作可能で、しかも操作力を軽くすることができるキャスターの操作機構を提供することを課題とするものである。更に本発明では、キャスターのロック状態の保持を確実に行えるようにして安全性を高めたキャスターの操作機構を提供することを課題とするものである。
【課題を解決するための手段】
【０００９】
本発明では、上述した課題を解決するために、ロック機構付きキャスターを設けた脚部と、脚部から立設した伸縮操作可能な支柱部と、支柱部に支持した細長いテーブル板とを有する昇降式テーブルにおいて、テーブル板の下部に水平又は略水平面内において回動可能な操作レバーを設けた操作部を構成すると共に、脚部にはキャスターのロック機構を作動する作動レバーを設け、前記操作レバーを操作することにより動作する位置Ａ、ならびに、前記作動レバーの支点Ｏに対して前記作動ピンとは反対側に配置された作動レバー上の位置Ｂとを、インナーワイヤーの両端により連結すると共に、前記操作レバーならびに前記作動レバーの動作に依存して動作することの無い位置Ｃにアウターワイヤーを固定して成る構成の昇降式移動テーブルにおけるロック機構付きキャスターの操作機構を提案している。
【００１０】
また本発明では、以上の構成において、操作部は、支持フレームに回動可能に固定し、その回動軸の横側にリンク接続部を設けた操作レバーと、アウターワイヤー固定部に対して進退可能となるように支持フレームに移動可能に支持したインナーワイヤー固定部材と、前記リンク接続部とインナーワイヤー固定部材間に連結したＵ字形凹部を有するリンクとを要素とし、前記操作レバーの回動軸が、リンクの連結部位を結ぶ直線よりも内側において前記Ｕ字形凹部内に位置するように設計されている昇降式移動テーブルにおけるロック機構付きキャスターの操作機構を提案している。
【００１１】
また本発明では、以上の構成において、脚部には、テーブル板の長手方向と直交する方向に離れた一対のキャスターの中間位置にインナーワイヤーの連結側を配置し、前記一対のキャスターの夫々の作動レバーの位置Ｂを操作ワイヤーの連結側に位置させて、共通のインナーワイヤーにより連動操作可能に構成した昇降式移動テーブルにおけるロック機構付きキャスターの操作機構を提案している。
【発明の効果】
【００１２】
本発明の操作機構では、操作レバーがテーブル板の下部に設けられていて水平又は略水平面内において回動可能であるため操作がし易い。また操作レバーの操作ストロークを大きくすることができることと、キャスターのロック機構を作動レバーにより作動させることから、テコ比を大きくして、操作力を軽くすることができ、全てのキャスターのロック機構を一括して操作することができる。そして本発明の操作機構では、レバーを用いた機構による大きなテコ比を利用するものではあるが、テーブル板側と脚部側とは、インナーワイヤーとアウターワイヤーから成る操作ワイヤーを連結しているので、支柱部の伸縮動作と全く干渉しない。操作部は、キャスターのロック状態に対応する状態保持をトグル作用により行う構成とすることにより、安全性が高まる。
【図面の簡単な説明】
【００１３】
【図１】図１は本発明に係る昇降式移動テーブルの一例を斜め上方から見た斜視図である。
【図２】図２は本発明に係る昇降式移動テーブルの一例を斜め下方から見た斜視図である。
【図３】図３は本発明に係る昇降式移動テーブルの一例の脚部側の構成を概念的に示す側面図である。
【図４】図４は本発明に係る昇降式移動テーブルの一例の脚部側の構成を他の局面において概念的に示す側面図である。
【図５】図５は本発明に係る昇降式移動テーブルの一例の操作部の構成を示す平面図である。
【図６】図６は本発明に係る昇降式移動テーブルの一例の操作部の構成を一部の部材を除いて示す平面図である。
【図７】図７は本発明に係る昇降式移動テーブルの一例の操作部の構成を一部の部材を除いて他の局面において示す平面図である。
【図８】図８は本発明に係る昇降式移動テーブルの一例の操作部の構成を一部の部材を除いて更に他の局面において示す平面図である。
【発明を実施するための形態】
【００１４】
次に本発明を適用した昇降式移動テーブルの一例として、オーバーベッドテーブルの一例を図１〜図８を参照して説明する。
まず、図において、符号１は昇降式移動テーブル、この場合、オーバーベッドテーブルを示すもので、このオーバーベッドテーブル１は、細長形状のテーブル板２の長手方向の両端部に一対の伸縮可能な支柱部３を設け、夫々の支柱部３の下部には、テーブル板２の長手方向と直交する細長い脚部４を設けており、夫々の脚部４の両端部には夫々対を成すロック機構付きキャスター５を設けている。
【００１５】
テーブル板２の下部には水平又は略水平面内において回動可能な操作レバー６を設けた操作部７を構成しており、また脚部４にはキャスター５のロック機構を作動する作動レバー８を設けている。ロック機構は、キャスター５の取付軸と同軸方向に作動ピン９が突設され、この作動ピン９が作動レバー８の端部の作動部１０により上方から押された場合にキャスター５がロックされる機構である。尚、作動ピン９は上方から押されていない場合にはキャスター５がロックされないようにばね等で維持される構成であるが、それらは図示を省略している。
【００１６】
この実施の形態においては、脚部４に設けた一対のキャスター５の中間位置を作動レバー８の力点側として構成し、前記操作部７における力の作用点側と、作動レバー８の力点側間に、インナーワイヤー１１とアウターワイヤー１２から成る操作ワイヤー１３を連結している。即ち、この実施の形態では、前記操作レバー６を操作することにより動作する位置Ａ、ならびに、前記作動レバー８の支点Ｏに対して前記作動ピン９とは反対側に配置された作動レバー８上の位置Ｂとを、インナーワイヤー１１の両端により連結すると共に、前記操作レバー６ならびに前記作動レバー８の動作に依存して動作することの無い位置Ｃにアウターワイヤー１２を固定するもので、上述したように脚部４には、テーブル板２の長手方向と直交する方向に離れた一対のキャスター５の中間位置にインナーワイヤー１１の連結側を配置し、前記一対のキャスター５の夫々の作動レバー８の位置Ｂをインナーワイヤー１１の連結側に位置させて、共通のインナーワイヤー１１により連動操作可能に構成している。
【００１７】
次に操作部７の図示例を説明すると、この操作部７は、支持フレーム１４に回動可能に固定し、その回動軸１５の横側にリンク接続部１６を設けた前記操作レバー６と、支持フレーム１４に対してのアウターワイヤー固定部１７に対して進退可能となるように支持フレーム１４に移動可能に支持したインナーワイヤー固定部材１８と、前記リンク接続部１６とインナーワイヤー固定部材１８間に連結したＵ字形凹部１９を有するリンク２０とを要素としており、前記操作レバー６の回動軸１５が、リンク２０の連結部位を結ぶ直線２４よりも内側において前記Ｕ字形凹部１９内に位置するように設計して構成されている。尚、この操作部７では、インナーワイヤー固定部材１８は支持フレーム１４に設けた長孔２１に沿って移動可能に構成されている。また符号２２、２３は夫々操作レバー６の回動範囲を決定するストッパーである。
【００１８】
以上の構成の動作を説明すると、まず、図５及び図６に示すように、操作レバー６が図中反時計回りに回動して右側のストッパー２３に当接している状態では、インナーワイヤー固定部材１８は長孔２１の右端側に移動しており、アウターワイヤー固定部１７との間が短い状態であるため、インナーワイヤー１１の他端側は引っ張られていない。
【００１９】
そのため図３に示すように、作動レバー８の力点側はインナーワイヤー１１の他端側によって持ち上げられないため、作動部１０は作動ピン９を押動せず、従って左右側のいずれのキャスター５もロックが解除された状態に維持される。
【００２０】
次いで図５及び図６の状態から操作レバー６を図中時計回りに回動すると、リンク２０は、操作レバー６のリンク接続部１６により円軌跡に沿って図中左方向に移動させられ、これによりインナーワイヤー固定部材１８を長孔２１に沿って図中左方向に移動する。
【００２１】
このようにインナーワイヤー固定部材１８は次第にアウターワイヤー固定部１７から離れていく方向に移動するので、図４に示すように、作動レバー８の力点側はインナーワイヤー１１の他端側によって持ち上げられ、作動部１０が作動ピン９を押動するので、左右側のいずれのキャスター５もロックがされた状態となる。
【００２２】
操作レバー６は図中時計回りの回動において、図６の状態から、図７の状態を経て図８に示すようにストッパー２２に当接して停止状態となるのであるが、この際、リンク２０はＵ字形凹部１９を有しているため、リンク接続部１６は図６に示すようにリンク２０とインナーワイヤー固定部材１８との連結部２５と回動軸１５を通る直線２４の下方位置から、図７に示すように直線２４と一致する位置を経て、図８に示すように直線２４よりも上方位置に至る。
【００２３】
このため、操作レバー６は、インナーワイヤー１１からの引張力に対して、所謂、トグル作用により確実に図８に示す停止位置に保持され、従ってロック機構によるキャスター５のロック状態を確実に保持することができる。
【００２４】
そして、操作レバー６は、以上と逆に、図８の状態から図中反時計回りに回動することにより、図７の状態を経て図６の状態に移行し、こうしてキャスター５のロック状態の解除を行うことができる。
【００２５】
以上のことから本発明では、上述したとおり、次のような大きな利点を有している。
１．操作レバー６がテーブル板２の下部に設けられていて水平又は略水平面内において回動可能であるため操作がし易い。
２．また操作レバー６の操作ストロークを大きくすることができることと、キャスター５のロック機構を作動レバー８により作動させることから、テコ比を大きくして、操作力を軽くすることができ、全てのキャスター５のロック機構を一括して操作することができる。そして本発明の操作機構では、レバーを用いた機構による大きなテコ比を利用するものではあるが、テーブル板２側と脚部４側とは、インナーワイヤー１１とアウターワイヤー１２から成る操作ワイヤー１３を連結しているので、支柱部３の伸縮動作と全く干渉しない。
３．操作部７は、キャスター５のロック状態に対応する状態保持をトグル作用により行う構成であるので、安全性がより高い。
【００２６】
以上では、本発明の操作機構をオーバーベッドテーブルに適用した実施の形態を説明したが、この他、ベッドサイドテーブルにも適用できることは勿論である。
【符号の説明】
【００２７】
１                オーバーベッドテーブル（昇降移動式テーブル）
２                テーブル板
３                支柱部
４                脚部
５                キャスター
６                操作レバー
７                操作部
８                作動レバー
９                作動ピン
１０              作動部
１１              インナーワイヤー
１２              アウターワイヤー
１３              操作ワイヤー
１４              支持フレーム
１５              回動軸
１６              リンク接続部
１７              アウターワイヤー固定部
１８              インナーワイヤー固定部材
１９              Ｕ字形凹部
２０              リンク
２１              長孔
２２，２３        ストッパー
２４              直線
２５              連結部
【図１】
2011234973.tif 000003
【図２】
2011234973.tif 000004
【図３】
2011234973.tif 000005
【図４】
2011234973.tif 000006
【図５】
2011234973.tif 000007
【図６】
2011234973.tif 000008
【図７】
2011234973.tif 000009
【図８】
2011234973.tif 000010